(57)【要約】【課題】  これまで専ら製品（作品）の自立安定性に頼っていた陶磁器・ガラス器等の花瓶や壺等に、転倒防止用の汎用型支持台座を提供する。【解決手段】  固定装置付きの脚部と、その脚部を接続する部品を組み合わせることで構成される支持台座により、製品（作品）の自立安定性に陶磁器・ガラス器等の花瓶や壺等に汎用的に対応できる支持台座により、転倒防止を図る。【効果】  千差万別の種類のある陶磁器・ガラス器等の製品に、汎用的に対応できる支持台座の提供により、転倒・損壊事故の多くを防止することが可能である。【選択図】図１
2013165937.tif 000002
【特許請求の範囲】
【請求項１】
固定装置付き脚部部品と脚部接続部品とで構成される陶磁器・ガラス器等の製品の汎用型支持台座
【請求項２】
スライド式の可動部分とその先端にアジャストヘッドを装備する固定装置付き脚部部品で構成する、請求項１に掲げる汎用型支持台座
【請求項３】
アーム式の可動部分とその先端にアジャストヘッドを装備する固定装置付き脚部部品で構成する、請求項１に掲げる汎用型支持台座
【請求項４】
スライド・アーム式の可動部分とその先端にアジャストヘッドを装備する固定装置付き脚部部品で構成する、請求項１に掲げる汎用型支持台座
【請求項５】
三つ又型脚部接続部品と請求項２・請求項３・請求項４の脚部部品を組み合わせて構成する、請求項１に掲げる汎用型支持台座
【請求項６】
十文字型脚部接続部品と請求項２・請求項３・請求項４の脚部部品を組み合わせて構成する、請求項１に掲げる汎用型支持台座
【請求項７】
円盤型脚部接続部品と請求項２・請求項３・請求項４の脚部部品を組み合わせて構成する、請求項１に掲げる汎用型支持
【発明の詳細な説明】
【技術分野】
【０００１】  本願発明は、花瓶や壺等の陶磁器やガラス器等の転倒防止用の支持台座である。
【背景技術】
【０００２】  従来、花瓶や壺等は自立させて使用することがほとんどである。実用的な製品においては、自立性を優先させて製作されているものが多いようだが、美術品やオブジェ等として制作している場合、デザイン性が優先されて自立安定性の悪いものもある。しかしながら、特に固定するという使用方法はされていない。
【発明の概要】
【発明が解決しようとする課題】
【０００３】  花瓶の使用状況においては、それ自体の自立安定性に問題はなくとも、花を活けたりしたとたん、状況が一変することはよくあることである。花瓶に活けた花が風の抵抗を増大させ、予想外の転倒事故が起こったという経験がある人は少なくないであろう。
通常、このような場合の対処方法はただ一つ、より大きな器を使用するしかない。【０００４】  但し、一般家庭においては、花瓶等の選択肢はそれほど多くはないであろう。
さらに、陶磁器やガラス器等は明確な規格はなく、陶工やガラス職人が一点一点手作りしている物も多く、その形や大きさ等は千差万別である。仮に機械的に大量生産されたものであっても、個人が所有するのはそのうちの一点であることが多い。よってこれまでは、製品（作品）の自立安定性に頼っていたのである。
【課題を解決するための手段】
【０００５】  これに対し、本願発明は、千差万別のあらゆる陶磁器・ガラス器等の花瓶や壺等に対応し、その自立安定性を補助して転倒を防止することのできる、汎用的な支持台座を提供するものである。【０００６】  具体的には、脚部と脚部をつなぐ接続部品より構成される台座である。また、脚部には可動式の固定装置が装備されている。（図１参照）【０００７】  例えば、三つ又の接続部品に３個の脚を取付けることで台座を組み立て、その中央に陶磁器・ガラス器等の製品を置き、脚部に装備されている可動式の固定装置を動かし、三方から陶磁器・ガラス器等の製品を固定する。これにより、製品そのものの自立安定性に頼ることなく、転倒防止を図ることができる。【０００８】  さらに、接続部品の大きさ・種類並びに、脚部に装備した可動式の固定装置の種類の組み合わせにより、あらゆる形・大きさ・形状の陶磁器・ガラス器等の製品に対応させることが可能である。【０００９】  固定装置の先端部にも可動式のアジャストヘッドを装備することで、固定しようとする陶磁器・ガラス器等の製品の形が、円筒形・鼓型・樽型・球形・円錐形等、あらゆる形に対応することが可能である。（図１又は２参照）【００１０】  また、接続部品の種類としては、丸型（円筒形等）・三角形（三角柱等）に対応可能な三つ又、四角形（四角柱等）に対応可能な十文字型、さらに円周部分に１２個の脚取付け箇所を有する円盤型を用意する。これはひとつで３個・４個・６個・１２個の脚の取付けが可能で、あらゆる要求をひとつで満たすことができる。【００１１】  可動式の固定装置も、スライド型・アーム型・両者を合わせた機能を持つスライド・アーム型（図１又は２参照）等が考えられる。
【発明の効果】
【００１２】  これまで専ら陶磁器・ガラス器等の製品の自立安定性に頼ってきたものに、転倒防止に有効な支持台座を提供することにより、陶磁器・ガラス器等の製品の転倒損壊事故を激減させられる。【００１３】  脚部品と接続部品の種類組み合わせの選択幅が多様にあり、自己の要求に適合した選択が容易で、無駄がなく安価である。【００１４】  本願発明は、千差万別の形・大きさ・形状等に組み合わせをもって対応できるので、広く汎用的である。
本願発明は、自立させることが困難な陶磁器・ガラス器等の製品に対しても有効なことは、言うまでもない。
【図面の簡単な説明】
【００１５】
【図１】  スライド型固定装置付き脚部の使用例（側面図部分）
【図２】  スライド・アーム型固定装置付き脚部品
【図３】  十文字型脚部接続部品
【図４】  十文字型脚部接続部品Ａ−Ａ′断面図
【符号の説明】
【００１６】１  スライド型脚部品
２  スライド・アーム型脚部品
３  スライド式固定部品
４  アーム式固定部品
５  アジャストヘッド
６  脚部固定ネジ
７  可動式の固定装置の固定ネジ
８  滑り止めパッド
９  十文字型脚部接続部品
１０  スライド溝
１１  陶磁器・ガラス器等の製品
【図１】
2013165937.tif 000003
【図２】
2013165937.tif 000004
【図３】
2013165937.tif 000005
【図４】
2013165937.tif 000006
【手続補正書】
【提出日】平成24年10月29日(2012.10.29)
【手続補正１】
【補正対象書類名】特許請求の範囲
【補正対象項目名】全文
【補正方法】変更
【補正の内容】
【特許請求の範囲】
【請求項１】
台座の構成要素である台の部分を三つ又・十文字型又は円盤型等の形状を有する脚部接続部品と、これと接続し、載台物を固定するための装置を装備した脚部部品とを、脚部接続部品の形状に合わせ３個から１２個の範囲で適宜組み合わせて、台座を構成することを特徴とする、陶磁器・ガラス器等の汎用型支持台座。
【請求項２】
スライド式可動部分とその先端に可動式アジャストヘッドを装備することを特徴とする、固定装置付き脚部部品で構成する、請求項１に掲げる汎用型支持台座。
【請求項３】
アーム式可動部分とその先端に可動式アジャストヘッドを装備することを特徴とする、固定装置付き脚部部品で構成する、請求項１に掲げる汎用型支持台座。
【請求項４】
スライド・アーム式可動部分とその先端に可動式アジャストヘッドを装備することを特徴とする、固定装置付き脚部部品で構成する、請求項１に掲げる汎用型支持台座。
【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
陶磁器・カラス器等の製品を載置する三つ又・十文字型又は円盤型等の形状を有する脚部接続部品と、前記脚部接続部品の側面と接続し、前記脚部接続部品上の陶磁器・ガラス器等の製品を側面から支持するための可動式アジャストヘッドを装備した脚部部品とからなり、前記脚部接続部品の形状に合わせて前記脚部部品を３個から１２個の範囲で適宜組み合わせ、陶磁器・ガラス器等の製品をその底面と側面から保持することを特徴とする、陶磁器・ガラス器等の汎用型支持台座。
【請求項２】
前記可動式アジャストヘッドは、スライド式に可動することを特徴とする、請求項１に掲げる汎用型支持台座。
【請求項３】
前記可動式アジャストヘッドは、アーム式に可動することを特徴とする、請求項１に掲げる汎用型支持台座。
【請求項４】
前記可動式アジャストヘッドは、スライド・アーム式に可動することを特徴とする、請求項１に掲げる汎用型支持台座。